【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
無線通信システムにおける基地局の動作方法において、
第１ビーム幅を有する１次（ｐｒｉｍａｒｙ）参照信号を送信する過程と、
少なくとも一つの端末から前記第１ビーム幅を有する少なくとも一つの１次好みのビーム（ｐｒｅｆｅｒｒｅｄ−ｂｅａｍ）を知らせる第１フィードバック信号を受信する過程と、
前記少なくとも一つの１次好みのビームに基づいて決定された範囲内のビーム方向を有し、 第２ビーム幅を有する２次（ｓｅｃｏｎｄａｒｙ）参照信号を送信する過程と、
前記少なくとも一つの端末から前記第２ビーム幅を有する少なくとも一つの２次好みのビームを知らせる第２フィードバック信号を受信する過程と、を含み、
前記第１ビーム幅は前記第２ビーム幅より大きいことを特徴とする方法。
【請求項２】
前記範囲は、前記少なくとも一つの１次好みのビームの伝播範囲を含むことを特徴とする請求項１に記載の方法。
【請求項３】
前記少なくとも一つの１次好みのビームは、第１の１次好みのビーム及び第２の１次好みのビームを含み、
前記２次参照信号を送信する過程は、
前記第１の１次好みのビームに対応する第１測定区間を介して前記２次参照信号の第１サブセット（ｓｕｂｓｅｔ）を送信する過程と、
前記第２の１次好みのビームに対応する第２測定区間を介して前記２次参照信号の第２サブセットを送信する過程と、を含み、
前記第１サブセットのビーム方向は、前記第１の１次好みのビームの伝播（ｐｒｏｐａｇａｔｉｏｎ）範囲内に含まれ、
前記第２サブセットのビーム方向は、前記第２の１次好みのビームの伝播（ｐｒｏｐａｇａｔｉｏｎ）範囲内に含まれることを特徴とする請求項１に記載の方法。
【請求項４】
前記２次参照信号を送信する過程は、
前記少なくとも一つの１次好みのビームの個数に基づいて前記２次参照信号を伝達する測定区間の個数を決定する過程と、
前記測定区間を介して前記２次参照信号を送信する過程と、を含むことを特徴とする請求項１に記載の方法。
【請求項５】
前記少なくとも一つの端末に前記２次参照信号を伝達する少なくとも一つの測定区間の割り当てに関する情報を送信する過程をさらに含むことを特徴とする請求項１に記載の方法。
【請求項６】
前記情報は、前記少なくとも一つの１次好みのビームのインデックス、前記少なくとも一つの１次好みのビームのインデックス及び対応する少なくとも一つの測定区間のインデックスの組み合わせ、前記２次参照信号の個数、前記２次参照信号を伝達する測定区間の個数、前記少なくとも一つの１次好みのビームの個数、前記２次参照信号を伝達する測定区間のうち最後の測定区間のインデックスのうち少なくとも一つを含むことを特徴とする請求項５に記載の方法。
【請求項７】
前記２次参照信号を送信する過程は、
予め定義された対応関係に基づいて前記少なくとも一つの１次好みのビームに対応する少なくとも一つの測定区間の位置を確認する過程と、
前記少なくとも一つの測定区間を介して前記２次参照信号を送信する過程と、を含むことを特徴とする請求項１に記載の方法。
【請求項８】
前記２次参照信号を送信する過程は、
ｎ番目の測定区間を介して、ｎ番目の１次参照信号の伝播方向内のビーム方向を有する、前記２次参照信号のサブセットを送信する過程を含むことを特徴とする請求項７に記載の方法。
【請求項９】
サービス領域に内で端末の分布が均一である場合、前記１次参照信号を送信せずに前記２次参照信号を前記サービス領域の全方向に送信する過程を更に含むことを特徴とする請求項１に記載の方法。
【請求項１０】
無線通信システムにおける端末の動作方法において、
基地局から、第１ビーム幅を有する１次（ｐｒｉｍａｒｙ）参照信号のうち少なくとも一つを受信する過程と、
前記第１ビーム幅を有する１次好みのビーム（ｐｒｅｆｅｒｒｅｄ−ｂｅａｍ）を知らせる第１フィードバック信号を前記基地局に送信する過程と、
前記１次好みのビームに基づいて決定された範囲内のビーム方向を有し、第２ビーム幅を有する２次（ｓｅｃｏｎｄａｒｙ）参照信号のうち少なくとも一つを受信する過程と、
前記第２ビーム幅を有する２次好みのビームを知らせる第２フィードバック信号を前記基地局に送信する過程と、を含み、
前記第１ビーム幅は前記第２ビーム幅より大きいことを特徴とする方法。
【請求項１１】
前記基地局から、前記２次参照信号を伝達する少なくとも一つの測定区間の割り当てに関する情報を受信する過程をさらに含むことを特徴とする請求項１０に記載の方法。
【請求項１２】
前記情報は、前記少なくとも一つの１次好みのビームのインデックス、前記少なくとも一つの１次好みのビームのインデックス及び対応する少なくとも一つの測定区間のインデックスの組み合わせ、前記２次参照信号の個数、前記２次参照信号を伝達する測定区間の個数、前記少なくとも一つの１次好みのビームの個数、前記２次参照信号を伝達する測定区間のうち最後の測定区間のインデックスのうち少なくとも一つを含むことを特徴とする請求項１１に記載の方法。
【請求項１３】
前記２次参照信号のうち少なくとも一つを受信する過程は、
前記１次好みのビームに対応する測定区間を決定する過程と、
前記測定区間の間前記２次参照信号のうち少なくとも一つを受信する過程と、を含むことを特徴とする請求項１０に記載の方法。
【請求項１４】
前記測定区間は、前記１次好みのビームのインデックス順番に基づいて決定されることを特徴とする請求項１３に記載の方法。
【請求項１５】
前記２次参照信号のうち少なくとも一つを受信する過程は、
前記２次参照信号の個数を確認する過程と、
少なくとも一つの測定区間の間確認された個数だけの２次参照信号を検出する過程と、を含むことを特徴とする請求項１０に記載の方法。
【請求項１６】
前記２次参照信号のうち少なくとも一つを受信する過程は、
予め定義された対応関係に応じて前記１次好みのビームに対応する測定区間を決定する過程と、
前記測定区間の間、前記２次参照信号のうち少なくとも一つを検出する過程と、を含むことを特徴とする請求項１０に記載の方法。
【請求項１７】
前記２次参照信号のうち少なくとも一つを受信する過程は、
前記１次好みのビームに対応する測定区間を介して前記２次参照信号のサブセット（ｓｕｂｓｅｔ）を受信する過程を含み、
前記サブセットのビーム方向は、前記１次好みのビームの伝播（ｐｒｏｐａｇａｔｉｏｎ）範囲内に含まれることを特徴とする請求項１０に記載の方法。
【請求項１８】
無線通信システムにおける基地局装置において、
第１ビーム幅及び第１ビーム幅に参照信号をビームフォーミングするビームフォーミング部と、
少なくとも一つの端末に前記参照信号を送信し、前記少なくとも一つの端末から少なくとも一つの好みのビーム（ｐｒｅｆｅｒｒｅｄ−ｂｅａｍ）を指示する少なくとも一つのフィードバック信号を受信する送受信部と、
前記第１ビーム幅を有する１次（ｐｒｉｍａｒｙ）参照信号を送信し、前記少なくとも一つの端末から前記第１ビーム幅を有する少なくとも一つの１次好みのビームを知らせる第１フィードバック信号を受信し、前記少なくとも一つの１次好みのビームに基づいて決定された範囲内のビーム方向を有し、第２ビーム幅を有する２次（ｓｅｃｏｎｄａｒｙ）参照信号を送信し、前記少なくとも一つの端末から前記第２ビーム幅を有する少なくとも一つの２次好みのビームを知らせる第２フィードバック信号を受信するように制御する制御部と、を含み、
前記第１ビーム幅は前記第２ビーム幅より大きいことを特徴とする装置。
【請求項１９】
前記範囲は、前記少なくとも一つの１次好みのビームの伝播範囲を含むことを特徴とする請求項１８に記載の装置。
【請求項２０】
前記少なくとも一つの１次好みのビームは、第１の１次好みのビーム及び第２の１次好みのビームを含み、
前記送受信部は、前記第１の１次好みのビームに対応する第１測定区間を介して前記２次参照信号の第１サブセット（ｓｕｂｓｅｔ）を送信し、前記第２の１次好みのビームに対応する第２測定区間を介して前記２次参照信号の第２サブセットを送信し、
前記第１サブセットのビーム方向は、前記第１の１次好みのビームの伝播（ｐｒｏｐａｇａｔｉｏｎ）範囲内に含まれ、
前記第２サブセットのビーム方向は、前記第２の１次好みのビームの伝播（ｐｒｏｐａｇａｔｉｏｎ）範囲内に含まれることを特徴とする請求項１８に記載の装置。
【請求項２１】
前記制御部は、前記少なくとも一つの１次好みのビームの個数に基づいて前記２次参照信号を伝達する測定区間の個数を決定し、
前記送受信部は、前記測定区間を介して前記２次参照信号を送信することを特徴とする請求項１８に記載の装置。
【請求項２２】
前記送受信部は、前記少なくとも一つの端末に前記２次参照信号を伝達する少なくとも一つの測定区間の割り当てに関する情報を送信することを特徴とする請求項１８に記載の装置。
【請求項２３】
前記情報は、前記少なくとも一つの１次好みのビームのインデックス、前記少なくとも一つの１次好みのビームのインデックス及び対応する少なくとも一つの測定区間のインデックスの組み合わせ、前記２次参照信号の個数、前記２次参照信号を伝達する測定区間の個数、前記少なくとも一つの１次好みのビームの個数、前記２次参照信号を伝達する測定区間のうち最後の測定区間のインデックスのうち少なくとも一つを含むことを特徴とする請求項２２に記載の装置。
【請求項２４】
前記制御部は、予め定義された対応関係に基づいて前記少なくとも一つの１次好みのビームに対応する少なくとも一つの測定区間の位置を確認し、
前記送受信部は、前記少なくとも一つの測定区間を介して前記２次参照信号を送信するのを特徴とする請求項１８に記載の装置。
【請求項２５】
前記送受信部は、ｎ番目の測定区間を介して、ｎ番目の１次参照信号の伝播方向内のビーム方向を有する、前記２次参照信号のサブセットを送信することを特徴とする請求項２４に記載の装置。
【請求項２６】
前記送受信部は、サービス領域内に端末の分布が均一である場合、前記１次参照信号を送信せずに前記２次参照信号を前記サービス領域の全方向に送信することを特徴とする請求項１８に記載の装置。
【請求項２７】
無線通信システムにおける端末装置において、
基地局から参照信号を受信し、基地局にフィードバック信号を送信する送受信部と、
第１ビーム幅を有する１次参照信号のうち少なくとも一つを受信し、前記第１ビーム幅を有する１次好みのビーム（ｐｒｅｆｅｒｒｅｄ−ｂｅａｍ）を知らせる第１フィードバック信号を送信し、前記１次好みのビームに基づいて決定された範囲内のビーム方向を有し、第２ビーム幅を有する２次参照信号のうち少なくとも一つを受信し、前記第２ビーム幅を有する２次好みのビームを知らせる第２フィードバック信号を送信するように制御する制御部と、を含み、
前記第１ビーム幅は前記第２ビーム幅より大きいことを特徴とする装置。
【請求項２８】
前記送受信部は、前記基地局から、前記２次参照信号を伝達する少なくとも一つの測定区間の割り当てに関する情報を受信することを特徴とする請求項２７に記載の装置。
【請求項２９】
前記情報は、前記少なくとも一つの１次好みのビームのインデックス、前記少なくとも一つの１次好みのビームのインデックス及び対応する少なくとも一つの測定区間のインデックスの組み合わせ、前記２次参照信号の個数、前記２次参照信号を伝達する測定区間の個数、前記少なくとも一つの１次好みのビームの個数、前記２次参照信号を伝達する測定区間のうち最後の測定区間のインデックスのうち少なくとも一つを含むことを特徴とする請求項２８に記載の装置。
【請求項３０】
前記制御部は、前記１次好みのビームに対応する測定区間を決定し、
前記送受信部は、前記測定区間の間前記２次参照信号のうち少なくとも一つを受信することを特徴とする請求項２７に記載の装置。
【請求項３１】
前記測定区間は、前記１次好みのビームのインデックス順番に基づいて決定されることを特徴とする請求項３０に記載の装置。
【請求項３２】
前記制御部は、前記２次参照信号の個数を確認し、
前記送受信部は、少なくとも一つの測定区間の間、確認された個数だけの２次参照信号を検出することを特徴とする請求項２７に記載の装置。
【請求項３３】
前記制御部は、予め定義された対応関係に応じて前記１次好みのビームに対応する測定区間を決定し、
前記送受信部は、前記測定区間の間、前記２次参照信号のうち少なくとも一つを検出することを特徴とする請求項２７に記載の装置。
【請求項３４】
前記送受信部は、前記１次好みのビームに対応する測定区間を介して前記２次参照信号のサブセット（ｓｕｂｓｅｔ）を受信し、
前記サブセットのビーム方向は、前記１次好みのビームの伝播（ｐｒｏｐａｇａｔｉｏｎ）範囲内に含まれることを特徴とする請求項２７に記載の装置。